(57)【要約】【課題】  外部被覆カバー材がヒータ通電されている便座筐体に装着されていないとき、使用者の便座筐体への着座を規制するようにしたこと。【解決手段】  便座筐体３０から外部被覆カバー材４０が取り外されているとき、内部被覆材３１表面の少なくとも一部に着座行為を禁止する警告表示Ａを設けているから、人が内部被覆材３１に直接着座することを防止できる。また、断熱性に富む材料からなる芯材３６と芯材３６の下部を受ける下地材３７からなる基材３８に取り付けられたヒータ３４は、便器１０側に流れる熱エネルギー量を少なくし、人体と接触する側の熱の感触を柔らかくすることができる。更に、外部被覆カバー材４０は、取り外し自在であるから、洗浄が容易になり、衛生的に管理できる。【選択図】    図１
2006334161.tif 000002
【特許請求の範囲】
【請求項１】
内側にヒータを配設し、その表面の少なくとも一部に着座行為を禁止する警告手段を設けてなる便座筐体と、
前記便座筐体の外側に着座面を覆うように取り付けられ、前記便座筐体よりも軟質材料からなり、前記便座筐体に対し着脱可能に配設されてなる外部被覆カバー材と
を具備することを特徴とする暖房便座装置。
【請求項２】
前記警告手段は、前記外部被覆カバー材を取り付ける前記便座筐体の表面の一部に突起形状を設けたことを特徴とする請求項１に記載の暖房便座装置。
【請求項３】
前記警告手段は、前記外部被覆カバー材を取り付ける前記便座筐体の表面の一部に着座行為を禁止する表示を設けたことを特徴とする請求項１または請求項２に記載の暖房便座装置。
【請求項４】
内側にヒータを配設した便座筐体と、
前記便座筐体の外側を覆うように取り付けられ、前記便座筐体よりも軟質材料からなり、前記便座筐体に対し着脱可能に配設されてなる外部被覆カバー材と、
前記外部被覆カバー材を前記便座筐体から取り外したことを検知する離脱状態検知手段を有し、前記離脱状態検知手段が検知したときには前記ヒータへの通電を遮断または低減する制御を行うヒータ通電制御手段と
を具備することを特徴とする暖房便座装置。
【請求項５】
内側にヒータを配設した便座筐体と、
前記便座筐体の外側を覆うように取り付けられ、前記便座筐体よりも軟質材料からなり、前記便座筐体に対し着脱可能に配設されてなる外部被覆カバー材と、
前記外部被覆カバー材を前記便座筐体から取り外したことを検知する離脱状態検知手段を有し、前記離脱状態検知手段が検知したときには前記ヒータへの通電を遮断または低減する制御を行うと共に、使用者が前記外部被覆カバー材に着座したことを検知する着座検知手段を有し、前記外部被覆カバー材に着座したときに、ヒータへの通電を遮断または低減するヒータ通電制御手段と
を具備することを特徴とする暖房便座装置。
【請求項６】
前記外部被覆カバー材及び前記便座筐体の平面方向の外周において、前記外部被覆カバー材の外周縁が前記便座筐体の外周縁より突出していることを特徴とする請求項１乃至請求項５の何れか１つに記載の暖房便座装置。
【請求項７】
前記ヒータは、前記ヒータの配設範囲が前記外部被覆カバー材の外周縁より内側の範囲内であることを特徴とする請求項１乃至請求項６の何れか１つに記載の暖房便座装置。
【発明の詳細な説明】
【技術分野】
【０００１】
本発明は、使用者が便座表面層の冷たさを感じることなく使用できるヒータ内蔵の暖房便座装置に関するものである。
【背景技術】
【０００２】
従来の人体局部洗浄装置等の暖房便座装置においては、ポリプロピレン等の硬質樹脂を中空に成形して、内部の上面にヒータを配設した構成のものがあった。この種の暖房便座装置は、便座が硬いことから使用者が長く座っていると、脚部が疲れたり、脚部の血行不良によってしびれが生じたりする可能性があった。また、中空形状の便座の下方に配設したヒータが常時発熱し、省エネの観点から好ましくなかった。これらの点を改良した従来の暖房便座装置として、特許文献１の技術を挙げることができる。
【０００３】
特許文献１に掲載の暖房便座装置は、内部にヒータを有する中空形状の便座部の上面にコルク質層の座面を着脱自在に装着したもので、コルク質層の座面を便座部の上面から取り外して水洗いすることにより、常時、座面を衛生的に維持できるようになっている。
【特許文献１】特開２００４−１８０９２９
【発明の開示】
【発明が解決しようとする課題】
【０００４】
特許文献１に掲載の暖房便座装置は、上記したように、内部にヒータを有する中空形状の便座部の上面にコルク質層の座面を着脱自在に装着したもので、コルク質層の座面を便座部の上面から取り外して水洗いすることにより、常時、座面を衛生的に維持できるようになっている。これ自体は、実用的な効果をもたらすものであるが、安全性の配慮が欠けている。即ち、コルク質層の座面を水洗いのために内部にヒータを有する中空形状の便座部の上面から取り外されている間、ヒータへの通電を遮断しておれば問題はないが、この遮断を失念した場合、便用者が誤って通電により所定温度に暖められた便座部に着座して火傷を負わないにせよ、熱い思いをすることは必定である。
【０００５】
そこで、本発明はこれらの問題点を解消すべく、外部被覆カバー材がヒータ通電されている便座筐体に装着されていないとき、使用者の便座筐体への着座を規制するようにした暖房便座装置の提供を技術的課題とするものである。
【課題を解決するための手段】
【０００６】
請求項１の暖房便座装置は、断熱性に富む材料からなる基材と、熱伝導性の良い材料からなる内側にヒータが配設された内部被覆材からなる便座筐体と、前記便座筐体の外側を覆うように取り付けられ、前記便座筐体よりも軟質で断熱性に富む材料からなる外部被覆カバー材とを具備する暖房便座装置において、前記外部被覆カバー材は前記便座筐体に対し着脱可能に配設され、前記外部被覆カバー材を取り付ける前記便座筐体の表面の少なくとも一部に着座行為を禁止する警告手段を設けたものである。
【０００７】
ここで、上記外部被覆カバー材とは、前記便座筐体に対し着脱可能に配設され、身体に対し、冷たさを感じさせない程度の少ない熱エネルギーを供給するものであるから、全体が熱伝導体でなければよい。よって、外部被覆カバー材には熱伝導を良くする金属粉、金属短繊維等を混在させた材料も使用することができる。
【０００８】
更に、上記外部被覆カバー材を取り付ける前記便座筐体の表面は外部被覆カバー材表面より高温のため、着座行為を禁止する警告手段を少なくとも一部または全部に設けたものである。警告手段とは、文字表現またはイラスト等の図形表現及びそれらの組み合わせによる表現とすることができる。勿論、サーモペイントのように温度に反応して、特定温度以上で赤色、黒色等に変色し、所定温度未満では、内部被覆材の地色になるもので表現しても良い。そして、着座が困難な形状変化で危険を表現しても良い。
【０００９】
請求項２の暖房便座装置の前記警告手段は、前記外部被覆カバー材を取り付ける前記便座筐体の表面の少なくとも一部に突起形状を設けたもので、着座したとき、人体に違和感が感じられたり、痛さを感じたりする形状とするものであればよい。この突起形状は、前記便座筐体の内部被覆材の上面の人体が接触する一部に形成されるものであればよい。特に、人体の敏感な部分に接触する突起形状とするのが望ましい。
【００１０】
請求項３の暖房便座装置の前記警告手段は、前記外部被覆カバー材を取り付ける前記便座筐体の表面の少なくとも一部に着座行為を禁止する表示を設けたもので、着座しようとしたとき、それを思い止めるような文字、イラスト等の表示であればよい。この着座行為を禁止する表示は、単なる模様と認識され難いように、大胆な表現が望ましい。
【００１１】
請求項４の暖房便座装置は、内側にヒータが配設された便座筐体と、前記便座筐体の外側に着座面を覆うように取り付けられ、前記便座筐体よりも軟質材料からなり、前記便座筐体に対し着脱可能に配設されてなる外部被覆カバー材と、前記ヒータへの通電を制御するヒータ通電制御手段とを具備する暖房便座装置において、前記ヒータ通電制御手段は、前記外部被覆カバー材を前記便座筐体から取り外したことを検知する離脱状態検知手段を有し、前記離脱状態検知手段が検知した時には、前記ヒータへの通電を停止するものである。
ここで、上記外部被覆カバー材は、前記便座筐体に対し着脱可能に配設されているものである。
また、上記外部被覆カバー材は、身体に対し、冷たさを感じさせない程度の少ない熱エネルギーを供給するものであるから、全体が熱伝導体でなければよい。よって、外部被覆カバー材には熱伝導を良くする金属粉、金属短繊維等を混在させた材料も使用することができる。
そして、上記ヒータ通電制御手段は、前記外部被覆カバー材を前記便座筐体から取り外したことを検知する離脱状態検知手段の動作時に、前記ヒータへの通電を減じたり、停止したりするように前記ヒータへの通電を制御するものであればよい。
【００１２】
請求項５の暖房便座装置の前記ヒータ通電制御手段は、請求項４に記載のヒータ通電制御手段に対して、更に、使用者が前記外部被覆カバー材に着座したことを検知する着座検知手段を具有し、使用者が前記外部被覆カバー材に着座したときに、ヒータへの通電量を少なくするものである。即ち、長時間着座しているとき、低温で熱エネルギーが供給されると、低温火傷が発生する可能性があるので、それを除去する程度に電流を低減するか、電流を遮断するものである。
【００１３】
請求項６の暖房便座装置は、前記外部被覆カバー材及び前記便座筐体の平面方向の外周において、前記外部被覆カバー材の外周縁が前記便座筐体の外周縁より突出しているものであり、この突出は使用者がデザイン的に違和感を感じない程度で、機械的に突出部分に手がかかる程度であればよい。
【００１４】
請求項７の暖房便座装置は、人体に熱エネルギーを与える個所として、前記ヒータの貼り付け範囲が前記外部被覆カバー材の外周縁より内側の範囲内であることが望ましい。
【発明の効果】
【００１５】
請求項１にかかる暖房便座装置は、便座筐体から外部被覆カバー材が取り外されているときには、便座筐体の内部被覆材表面に着座行為を禁止する警告手段を設けているから、外部被覆カバー材を取り外した状態で、人が便座筐体の内部被覆材に直接着座することを防止できる。前記外部被覆カバー材の表面より便座筐体の表面の温度が比較的高くなることもあり、外部被覆カバー材が取り外されているときには、常に、人が便座筐体の内部被覆材に直接着座することを防止できる。
内部被覆材は、比較的機械的強度の高いもので形成できるから、着座しても直接ヒータに機械的ストレスが入ることなく使用が可能である。加えて、外部被覆カバー材は、前記ヒータの外側に形成した熱伝導性の良い材料からなる内部被覆材を取り外し自在に覆うものであるから、洗浄が容易になり、衛生的に管理できる。
【００１６】
請求項２にかかる暖房便座装置の前記警告手段は、前記外部被覆カバー材を取り付ける前記便座筐体の表面の少なくとも一部に突起形状を設けたものであるから、請求項１に記載の効果に加えて、外部被覆カバー材が取り外されているときにもかかわらず、利用者が無意識に着座しようとしたときでも、突起形状の刺激によって、人が便座筐体の内部被覆材に直接着座することを防止できる。
【００１７】
請求項３にかかる暖房便座装置の前記警告手段は、前記外部被覆カバー材を取り付ける前記便座筐体の表面の少なくとも一部に着座行為を禁止する表示を設けたものであるから、請求項１または請求項２に記載の効果に加えて、外部被覆カバー材が取り外されているとき、内部被覆材の表示を表すことにより、人が便座筐体の内部被覆材に直接着座することを防止することができる。
【００１８】
請求項４にかかる暖房便座装置は、前記便座筐体から外部被覆カバー材が取り外されているとき、前記外部被覆カバー材を前記便座筐体から取り外したことを検知する離脱状態検知手段が動作し、ヒータ通電制御手段はヒータへの通電を減じたり、停止するものであるから、外部被覆カバー材を取り外した状態で、人が便座筐体の内部被覆材に直接着座したとき、ヒータの通電を禁止することにより、便座筐体の内部被覆材表面の温度が高くなるのを防止できる。これにより、外部被覆カバー材が取り外されているときには、常に、人が便座筐体の内部被覆材に直接着座しても、熱さを感じるということがなくなる。
内部被覆材は、比較的機械的強度の高いもので形成できるから、着座しても直接ヒータに機械的ストレスが入ることなく使用が可能である。加えて、外部被覆カバー材は、前記ヒータの外側に形成した熱伝導性の良い材料からなる内部被覆材を取り外し自在に覆うものであるから、洗浄が容易になり、衛生的に管理できる。
【００１９】
請求項５にかかる暖房便座装置の前記ヒータ通電制御手段は、請求項４の構成に対して、更に、使用者が前記外部被覆カバー材に着座したことを検知する着座検知手段を有し、使用者が前記外部被覆カバー材に着座したときに、ヒータへの通電量を少なくするものであるから、請求項４の効果に加えて、長時間着座していても、外部被覆カバー材から人体に与えられる熱エネルギーが少なくなり、低温火傷等を防止することができる。着座直後からは、自己の保温力によって熱エネルギーを人体に与え冷たさを感じさせることはない。
【００２０】
請求項６にかかる暖房便座装置の前記外部被覆カバー材の外周縁が前記便座筐体の外周縁より突出しているものであるから、請求項１乃至請求項５の何れか１つに記載の効果に加えて、前記外部被覆カバー材の外周縁が前記便座筐体の外周縁より突出しているから、前記外部被覆カバー材を外す場合には、そこを手で持上げることにより、簡単に操作できると共に、前記外部被覆カバー材表面より高温となる便座筐体表面に人体が接触し難くなる。
【００２１】
請求項７にかかる暖房便座装置の前記ヒータは、そのヒータの貼り付け範囲が前記外部被覆カバー材の外周縁より内側の範囲内であるから、請求項１乃至請求項６の何れか１つに記載の効果に加えて、人体と接触する恐れのある前記便座筐体表面の温度上昇を抑えることができるから、無駄なエネルギー消費をなくすことができる。使用者に対して、熱の感触を柔らかくすることができる。
【発明を実施するための最良の形態】
【００２２】
次に、本発明の実施の形態の暖房便座装置について、図を用いて説明する。なお、本実施の形態２以降において、実施の形態１または他の実施の形態と同一記号または同一符号は、上記実施の形態１または他の実施の形態と同一または相当する構成部分を示すものであるから、その詳細な説明を省略し、主に相違点のみ説明する。
［実施の形態１]
【００２３】
図１は本発明の実施の形態の暖房便座装置の側面図を、図２は同じく平面図を示すものである。図３は本発明の実施の形態の暖房便座装置の人体局部洗浄装置の平面図であり、図４は図３の側面図を示すものである。
また、図５は本発明の実施の形態の暖房便座装置の図４に示す切断線Ａ−ＡによるＡ−Ａ断面図、図６は本発明の実施の形態の暖房便座装置の図４に示す切断線Ｂ−ＢによるＢ−Ｂ断面図、図７は本発明の実施の形態の暖房便座装置の図４に示す切断線Ｃ−ＣによるＣ−Ｃ断面図である。
【００２４】
図１乃至図４において、１０は便器で、公知の形態を有し、２０は人体局部洗浄装置で、便器１０の上に載置される。２１は人体局部洗浄装置２０の後部装置収納部、２１ａは後部装置収納部２１の上部カバー、２１ｂは後部装置収納部２１のべ一ス部材で、２３は便蓋、２４は便座で、後部装置収納部２１に回動自在に取り付けられている。
後部装置収納部２１のべ一ス部材２１ｂには、便座２４のヒータ通電制御手段を構成する電気制御を含む電気制御基板ユニット２１１、図示しない温水洗浄ノズル２１２、温水洗浄ノズル２１２に温水を供給する温水供給系ユニット２１３、赤外線検出、超音波検出、押圧力検出等の検出手段を有する近接スイッチからなる着座検知手段２１４が配設されている。ヒータ通電制御手段を除き、何れも公知の構成であるから、その詳細な説明を省略する。
【００２５】
図５乃至図７において、便座２４は、概略、断熱性に富む材料からなる芯材３６と、芯材３６の下部を受ける下地材３７からなる基材３８と、熱伝導性の良い材料からなり、内側にチュービングヒータからなるヒータ３４を配設してなる内部被覆材３１とからなる便座筐体３０と、便座筐体３０の外側に着座面を覆うように取り付けられ、便座筐体３０よりも軟質で断熱性に富む材料からなり、便座筐体３０に対し着脱可能に配設されてなる外部被覆カバー材４０によって構成されている。
【００２６】
詳しくは、断熱性に富む材料からなる芯材３６は、熱絶縁性がよいもの、即ち、熱伝導が悪い材料の無機または有機の発泡体等から形成され、質量も小さくまとめられている。芯材３６の下部を受ける下地材３７は、便器１０の上面に対向する面を有するもので、意匠性を考慮した材料及び形状であり、好ましくは、熱伝導が悪い材料の無機または有機の発泡体から形成される。なお、芯材３６及び下地材３７は、一体に同一材料で成形し、それを断熱性に富む材料からなる基材３８としてもよい。
【００２７】
断熱性に富む材料からなる芯材３６の上面を覆うように、内部被覆材３１が接合されている。内部被覆材３１には、その内面にアルミ箔３５に固着したヒータ３４が接合されている。ヒータ３４の内側の面は、芯材３６の外面に接するように、内部被覆材３１に接合され一体化されている。
外部被覆カバー材４０は、使用者が着座する範囲が略均等肉厚で、かつ、発泡倍率が略均一となるように成形されたものである。したがって、ヒータ３４からの熱を均一に伝達することができる。また、便座筐体３０の内部被覆材３１は、金属繊維等の熱伝導性の高い材料を混合させているので、ヒータ３４からの熱伝導が良好で、かつ、熱伝導が均一化されることによって、外部被覆カバー材４０の表面温度が均一に保持できる。
外部被覆カバー材４０は、その開口端部が部分的に内側に突出する係合部４０ａを形成している。係合部４０ａは、内部被覆材３１の外表面の凹部３１ｄに嵌合し、着座してからの人の移動で外部被覆カバー材４０が容易に離脱しないようにしている。これら係合部４０ａ及び凹部３１ｄは、全周に形成してもよいし、その周方向の水平距離で５〜１５ｃｍの範囲で分割しても設けてもよい。
【００２８】
また、内部被覆材３１は、必要に応じて、金属粉または金属繊維等の熱伝導率の高い材料を混合するものであるから、ヒータ３４からの熱伝導が良好で外部被覆カバー材４０の表面温度も略均一化されることから、消費電力も抑制することができ、省エネにも繋がる。外部被覆カバー材４０に対しても、必要に応じて、金属粉、金属短繊維等の熱伝導性の高い材料を若干混合させてもよい。
そして、便座筐体３０の内部被覆材３１の内面に配設されたヒータ３４は、対向する外部被覆カバー材４０の人が着座する範囲内に収まっているので、外部被覆カバー材４０に覆われていない便座筐体３０の基材３８の下地材３７に高温が伝達されることがなくなるから、温度の安定性が高く、その損失も少ない。
なお、基材３８の下地材３７の下部に配設された脚部３９は、便器１０の上面に載置される部分で、基材３８の下地材３７の全面が便器１０の上面に接するよりも、その接触面積を少なくすることで、熱エネルギーの損失をより少なくしている。これら芯材３６及び下地材３７、脚部３９は、一体に基材３８として同一材料で成形してもよい。
【００２９】
便座筐体３０の内部被覆材３１には、１個以上の直径５〜２０ｍｍ程度の横幅で、高さ３〜６ｍｍ程度の突起３２ａが形成されている。この突起３２ａは、外部被覆カバー材４０が取り外されているとき、使用者が無意識に着座しようとしたときでも、臀部に対する刺激によって、人が便座筐体３０の内部被覆材３１に直接着座することを防止するものである。
したがって、突起３２ａは、使用者が無意識に着座しようとしたときでも、その存在が認識できる程度の刺激を与えるものであり、その刺激が加わりやすいような形状、位置によって１個以上形成される。
【００３０】
便座筐体３０と内部被覆材３１とは、便座筐体３０側の下地材３７に形成した凹溝３７ａに内部被覆材３１の端部に形成した凸条３１ａを挿入し、複数箇所設定した内部被覆材３１の螺子止凸部３１ｂと、基材３８の下地材３７に形成した螺子嵌合部３７ｂとの間を螺子３３で螺子止めして固着される。このとき、便座筐体３０側の下地材３７に形成した凹溝３７ａと内部被覆材３１の端部に形成した凸条３１ａとは接着剤で接合してもよい。
この螺子３３で螺子止めして固着される個所、係合部４０ａと外表面の凹部３１ｄとの嵌合個所は、通常、複数箇所設定される。
【００３１】
また、便座筐体３０の後部の内部被覆材３１には、使用者が着座したとき、使用者の臀部の尾垳骨に対向する位置に突起３２ｂが形成されている。具体的には、便座筐体３０の内部被覆材３１の後方のほぼ中央部に直径８〜１５ｍｍ程度の横幅で高さ３〜６ｍｍ程度の突起３２ｂが設けられ、外部被覆カバー材４０の対応する箇所には同様の寸法の凹部４０ｂがある。これにより使用者が外部被覆カバー材４０の装着を忘れたままで着座しようとしても突起３２ｂに気づき、着座し続けることがなくなる。
このように、暖房便座２４の外部被覆カバー材４０を取り外すと、便座筐体３０の内部被覆材３１の所定の表面箇所に使用者の着座を禁止する表示があるので、これにより使用者が外部被覆カバー材４０を装着し忘れたままで着座しようとしても、突起３２ａ、３２ｂに気づいて着座し続けることがなくなる。
［実施の形態２］
【００３２】
図８は本発明の実施の形態２の暖房便座装置の警告表示の一例を示す部分断面を示す要部正面図である。
図８に示すように、便座筐体３０の後部の内部被覆材３１には、その上面に「熱いので座らない」、「熱いので座らないで下さい」、「熱いので注意」、「着座しないで下さい」等の文字で警告表示Ａがなされている。外部被覆カバー材４０が取り外されている状態で内部被覆材３１に着座したとき、通常の外部被覆カバー材４０を介しての使用状態のときよりも温度が高くなっている可能性を示唆する。この表示は、便座筐体３０の後部の内部被覆材３１には横書きで、便座筐体３０の両側の内部被覆材３１には縦書きで表示するのが望ましい。また、単なる模様と認識されないように、明確な表現が必要である。
【００３３】
なお、警告表示Ａの文字は、本実施の形態のヒータ３４の外側に形成した熱伝導性の良い材料からなる内部被覆材３１の表面の少なくとも一部に着座行為を禁止する警告手段を構成する。
本発明を実施する場合の警告手段の警告表示Ａは、外部被覆カバー材４０を取り付ける便座筐体３０の表面の少なくとも一部に着座行為を禁止する表示を設けたもので、着座しようとしたとき、それを思い止めるような文字、イラスト、記号等の表示であればよい。この着座による問題を表示する箇所は、便座筐体３０の内部被覆材３１の表面の数箇所に分散して表記してもよい。これにより、外部被覆カバー材４０が装着された状態で暖房便座を運転すると、外部被覆カバー材４０の表面が適温となっている状態では、外部被覆カバー材４０の内部の便座筐体３０の内部被覆材３１は温度勾配により適温より高い温度となっていることから、熱すぎる内部被覆材３１に着座することを避けることができる。
［実施の形態３］
【００３４】
図９は本発明の実施の形態３の暖房便座装置の図４に示す切断線Ｄ−ＤのＤ−Ｄ断面図、図１０は本発明の実施の形態３の暖房便座装置の図４に示す切断線Ｄ−ＤのＤ−Ｄ断面による要部断面図である。そして、図１１は本発明の実施の形態３の暖房便座装置のヒータ通電制御手段を示す複数の回路図である。
図９及び図１０において、実施の形態１及び実施の形態２との相違点は、外部被覆カバー材４０を便座筐体３０の内部被覆材３１から取り外したことを検知する離脱状態検知手段として押圧スイッチ５０を有している。
【００３５】
押圧スイッチ５０はマイクロスイッチからなり、そのハウジング５５が下地材３７の上面に取り付けられていて、内部被覆材３１に穿設された貫通孔３１ｅを通り、その頭部が内部被覆材３１に形成された凹段部３１ｄにまで到達している。ハウジング５５の上部から突出した操作杆５１は、外部被覆カバー材４０が被せられているとき、外部被覆カバー材４０によって押さえられて押圧スイッチ５０が閉じ、外部被覆カバー材４０が被せられていないとき押圧スイッチ５０が開くように上方に突出している。ハウジング５５の上部から突出した操作杆５１には、ゴムキャップ５４を被せ、そのゴムキャップ５４の周囲は固定リング５３で固着し、水等の液体が操作杆５１側に流れ込まないようにしている。  
【００３６】
このように、便座筐体３０の内部被覆材３１のヒータ３４及び均一に放熱させるためのアルミ箔３５が配設されていない箇所に、押圧スイッチ５０が設けられている。押圧スイッチ５０の先端の操作杆５１は、外部被覆カバー材４０の装着により下方へ押し下げられてヒータ３４への通電を許容するよう接点が閉じる。また、押圧スイッチ５０の操作杆５１には、ゴムキヤップ５４が固定リング５３によって水密に取り付けられている。
【００３７】
本発明の実施の形態３の暖房便座装置のヒータ通電制御手段は、図１１に示す回路図を使用している。
図１１の（ａ）は、２本並列接続されてなるヒータ３４と押圧スイッチ５０の直列回路に対してサーモスタットＳが接続されている。したがって、外部被覆カバー材４０が被せられているとき、外部被覆カバー材４０によって押さえられてスイッチが入り、外部被覆カバー材４０が被せられていないときスイッチが切れる押圧スイッチ５０によって、外部被覆カバー材４０が被せられていないときヒータ３４に通電されない。よって、外部被覆カバー材４０を取り外すことにより、押圧スイッチ５０は操作杆５１がゴムキヤップ５４と共に突出してヒータ３４への通電を停止するように制御される。これによって使用者は、外部被覆カバー材４０を取り外したままで暖房便座として着座しても、ヒータ３４に通電されないので高温になった便座筐体３０の内部被覆材３１の表面に触れることがなくなる。
【００３８】
本発明の実施の形態３の暖房便座装置のヒータ通電制御手段の図１１の（ｂ）は、２本並列接続されてなるヒータ３４と２極の押圧スイッチ５０の直列回路に対してサーモスタットＳが接続されている。そして、２極の押圧スイッチ５０が開放されたとき、押圧スイッチ５０の一方の極にダイオードＤが投入されるように接続されている。押圧スイッチ５０が投入されているときには、ダイオードＤには殆ど電流が流れないが、外部被覆カバー材４０を取り外したとき、押圧スイッチ５０が開となり、ダイオードＤを介して、１本のヒータ３４に電流が流れる。このとき、ヒータ３４の２本が均一な抵抗であれば、押圧スイッチ５０が開のとき商用電源の半波整流した電流が供給されるから１／４の電流が流れることになる。結果、消費電力は１／４になる。
したがって、外部被覆カバー材４０が被せられているとき、外部被覆カバー材４０によって押さえられて接点が閉じ、外部被覆カバー材４０が被せられていないとき接点が開くと２極の押圧スイッチ５０によって、外部被覆カバー材４０が被せられていないときヒータ３４に２本のヒータ３４を並列接続した場合の１／４の電流が流れる。
【００３９】
よって、外部被覆カバー材４０を取り外すことにより、押圧スイッチ５０は操作杆５１がゴムキヤップ５４と共に突出してヒータ３４への通電を減少させるように制御される。簡単な回路で通電電流の減少を行うことができる。
これによって使用者は、外部被覆カバー材４０を取り外したままで暖房便座として使用しても、ヒータ３４の電力が１／４に減少するので、サーモスタットＳが機能する程度に通電されないので便座筐体３０の内部被覆材３１の表面が高温になることがない。
【００４０】
本発明の実施の形態３の暖房便座装置のヒータ通電制御手段の図１１の（ｃ）は、２本並列接続されてなるヒータ３４と２極の押圧スイッチ５０の直列回路に対してサーモスタットＳが接続されている。そして、２極の押圧スイッチ５０が開放したとき、その一方にダイオードＤが投入され、そして、そのダイオードＤに対して近接スイッチからなる着座検知手段２１４を直列接続されている。
押圧スイッチ５０が投入されているときには、ダイオードＤには電流が流れないが、外部被覆カバー材４０を取り外したとき、押圧スイッチ５０が開となり、ダイオードＤを介して、１本のヒータ３４に電流が流れる。このとき、ヒータ３４の２本が均一な抵抗であれば、押圧スイッチ５０が開のとき、半波整流した電流が供給されるから、２本のヒータ３４を並列接続した場合の１／４の電流が流れることになる。消費電力は１／４になる。
したがって、外部被覆カバー材４０が被せられているとき、外部被覆カバー材４０によって押さえられてスイッチが入り、外部被覆カバー材４０が被せられていないときスイッチが切れる２極の押圧スイッチ５０によって、外部被覆カバー材４０が被せられていないときヒータ３４に１／４の電流が流れる。
ここで、外部被覆カバー材４０が被せられていないとき、使用者が暖房便座２４として内部被覆材３１に着座しても、それまでの消費電力が小さく、かつ、ヒータ３４に通電されないので高温になった便座筐体３０の内部被覆材３１の表面に触れることがなくなる。
【００４１】
よって、外部被覆カバー材４０を取り外すことにより、押圧スイッチ５０は操作杆５１がゴムキヤップ５４と共に突出してヒータ３４への通電を減少させるように制御される。これによって使用者は、外部被覆カバー材４０を取り外したままで暖房便座として着座しても、ヒータ３４の電力が１／４に減少しており、かつ、通電が遮断されるので、便座筐体３０の内部被覆材３１の表面が高温になることがないから、お尻に不快な熱さを感じることがない。
このことは、仮に、外部被覆カバー材４０を取り外したまま、使用者がうっかり着座しようとしても、便座筐体３０から外部被覆カバー材４０が取り外されたことを検知する押圧スイッチ５０がそれを検知し、通電を停止するので、冬季等で直前まで高温で使用していても便座筐体３０にうっかり触れることによる危険性を回避できる。
また、使用者が着座したとしても、ヒータ３４を停止または通電量を少なくするので、高齢者や皮膚の弱い人が長時間着座していても、不快感や低温火傷をすることがない。
【００４２】
本発明の実施の形態３の暖房便座装置の図１１（ｄ）のヒータ通電制御手段は、２本並列接続されてなるヒータ３４と押圧スイッチ５０の直列回路に対してサーモスタットＳ及び近接スイッチからなる着座検知手段２１４が直列に接続されている。外部被覆カバー材４０が被せられているとき、外部被覆カバー材４０によって押さえられてスイッチが入り、外部被覆カバー材４０が被せられていないときスイッチが切れる押圧スイッチ５０によって、外部被覆カバー材４０が被せられていないとき、ヒータ３４に通電されない。また、着座検知手段２１４は、外部被覆カバー材４０の上に着座したとき開となり、外部被覆カバー材４０の上に着座していないとき閉となる。これによって使用者は、外部被覆カバー材４０を取り外したままで暖房便座として着座しても、ヒータ３４に通電されないので高温になった便座筐体３０の内部被覆材３１の表面に触れることがなくなる。
したがって、外部被覆カバー材４０を取り外すことにより、押圧スイッチ５０は操作杆５１がゴムキヤップ５４と共に突出してヒータ３４への通電を停止するように制御される。また、外部被覆カバー材４０が取り外されていないときでも、近接スイッチからなる着座検知手段２１４が人の着座を検出して回路を開くから、長時間着座する人でも、低温加熱による低温火傷にならなくなる。
また、着座検知手段２１４が人の着座を検出して回路を開くから、外部被覆カバー材４０を取り外しているときには、二重の安全性を持たせることになる。
［実施の形態４］
【００４３】
図１２は本発明の実施の形態４の暖房便座装置で、図４に示す切断線Ａ−Ａに相当する断面図である。
図１２において、装着された外部被覆カバー材４０の開口両下端の幅Ｌ2は、便座筐体３０の下地材３７の上部両端の幅Ｌ1よりも大きく設定し、便座筐体３０の下地材３７の上面両端は内側に位置するような構成となっている。この構成によって、暖房便座２４の下地材３７と外部被覆カバー材４０の間には、段差６５が形成される。
したがって、段差６５の使用によって、ヒータ３４によって直接暖められている便座筐体３０の内部被覆材３１に触れることなく、外部被覆カバー材４０と下地材３７との間を指で掴んで外部被覆カバー材４０を上昇することにより、外部被覆カバー材４０を取り外すことができる。しかも、芯材３６及びヒータ３４にも人体が触れにくいので、仮に温度制御が故障していた場合でも、火傷等の恐れがない。
［実施の形態５］
【００４４】
図１３は本発明の実施の形態５の暖房便座装置で、図４に示す切断線Ａ−Ａに相当する断面図である。
図１３において、この実施の形態は、実施の形態４の暖房便座装置が、装着された外部被覆カバー材４０の開口両下端の幅Ｌ2を、便座筐体３０の下地材３７の上部両端の幅Ｌ1よりも大きく設定し、暖房便座２４の下地材３７と外部被覆カバー材４０との間に段差６５を形成したものであったが、段差６５に代えて、本実施の形態では、指で引き上げることができる程度に突出した突出片４１を形成し、それを持って引き上げることにより、外部被覆カバー材４０を容易に取り外すことができる。このとき、突出片４１は下地材３７よりも外側にあり、容易にその存在が確認できるから、外部被覆カバー材４０の一部であることが認識できる。
［実施の形態６］
【００４５】
図１４は本発明の実施の形態６の暖房便座装置で、図４に示す切断線Ａ−Ａに相当する離脱状態の断面図、図１５は本発明の実施の形態６の暖房便座装置で、図４に示す切断線Ａ−Ａに相当する断面図である。
図１４及び図１５において、便座筐体３０の内部被覆材３１の上面側には、接着布６０の鍵状布片６２が２列設けられている。外部被覆カバー材４０の内側にも、内部被覆材３１接着布６０の鍵状布片６２に対抗する位置に２列の環状布片６１が設けられている。鍵状布片６２は、鍵状の樹脂糸の端部を有する布片であり、環状布片６１は、ループ状の樹脂糸の端部を有する布片であり、両者間を合わせることにより接合し、両者を離すことにより分離することができる公知の接着布６０を構成する。なお、内部被覆材３１の上面側に鍵状布片６２が２列、外部被覆カバー材４０の内側にも、環状布片６１が２列設けられているが、本発明を実施する場合には、１列以上設ければよい。特に、本実施の形態では、外部被覆カバー材４０の内側に環状布片６１が設けられているものであるから、洗濯機等で外部被覆カバー材４０を洗濯しても、繊維の糸くず等が環状布片６１に巻き着くことが回避できる。
【００４６】
また、外部被覆カバー材４０が被せられる便座筐体３０の内部被覆材３１の内周縁を基準とした便座筐体３０の内部被覆材３１の外周縁までの寸法Ｌ4は、対応する外部被覆カバー材４０の内周縁を基準とした開口両端の内側縁までの寸法Ｌ3より若干(３〜６ｍｍ程度)大きい寸法となっている。この寸法差によって、外部被覆カバー材４０を便座筐体３０の内部被覆材３１を位置合わせして被せることによって、適度な緊迫力を得て弾接することができる。また、着脱を行う場合でも適切な緊迫力によって容易に外すことができる。
したがって、図１５のように、便座筐体３０の内部被覆材３１の上面側に外部被覆カバー材４０を被せることにより、鍵状布片６２と環状布片６１が接合し、便座筐体３０の内部被覆材３１と外部被覆カバー材４０が一体化される。この状態では、使用者が着座した状態で体重移動または臀部をずらせても、外部被覆カバー材４０が内部被覆材３１からずれることが防止できる。
［実施の形態７乃至９］
【００４７】
図１６は本発明の実施の形態７の暖房便座装置で、図４に示す切断線Ａ−Ａに相当する断面図、図１７は本発明の実施の形態８の暖房便座装置で、図４に示す切断線Ａ−Ａに相当する断面図、図１８は本発明の実施の形態９の暖房便座装置で、図４に示す切断線Ａ−Ａに相当する断面図である。
【００４８】
図１６において、便座筐体３０の下地材３７には、随所に切欠き部７１を設けたものである。切欠き部７１は、人の指が数本挿入でき、外部被覆カバー材４０の下端を持上げることができる程度の切欠きである。この切欠き部７１は複数箇所設けられるか、全周に設けられる。
これによって、便座筐体３０の内部被覆材３１の上面側に外部被覆カバー材４０を被せると、鍵状布片６２と環状布片６１が接合し、便座筐体３０の内部被覆材３１と外部被覆カバー材４０が一体化される。この状態から外部被覆カバー材４０を取り外すには、図示しない両側の切欠き部７１に手の指をあてがい、外部被覆カバー材４０の両端から上方に力を加えると、鍵状布片６２と環状布片６１との結合が解かれ、便座筐体３０の下地材３７から外部被覆カバー材４０を引き離すことができる。
このように、本実施の形態の暖房便座２４には、便座筐体３０の下地材３７の外周の一部または全体に、大人の指が数本掛かる程度の幅５〜８ｍｍ程度の切欠き部７１が設けてあるので、使用者は必要に応じて容易に外部被覆カバー材４０を着脱することができる。
【００４９】
図１６の実施の形態においては、便座筐体３０の下地材３７には、随所に切欠き部７１を設けたものであるが、逆に、外部被覆カバー材４０側の一部を突出させてもよい。図１７はその実施の形態である。
図１７において、便座筐体３０の下地材３７は切欠きを設けることなく、外部被覆カバー材４０の外周縁の一部または全周に突起部４３を設けて指掛かりを構成したものである。これによって、便座筐体３０の内部被覆材３１の上面側に外部被覆カバー材４０を被せると、鍵状布片６２と環状布片６１が接合し、便座筐体３０の内部被覆材３１と外部被覆カバー材４０が一体化される。この状態から外部被覆カバー材４０を取り外すには、図示しない両側の突起部４３に手の指をあてがい、外部被覆カバー材４０の両端から上方に力を加えると、鍵状布片６２と環状布片６１との結合が解かれ、便座筐体３０の下地材３７から外部被覆カバー材４０を引き離すことができる。
【００５０】
図１６の実施の形態は、便座筐体３０の下地材３７の随所に切欠き部７１を設けたものであり、図１７の実施の形態は、外部被覆カバー材４０側の随所に突起部４３を形成したものであるが、両者を同時に用いることもできる。図１８はその実施の形態である。
図１８において、便座筐体３０の下地材３７には、一部に切欠き部７１を設けたものであり、この切欠き部７１は、人の指が数本挿入でき、外部被覆カバー材４０の下端を持上げることができる程度の切欠きである。また、外部被覆カバー材４０の外周縁の一部には突起部４３が設けられている。この突起部４３は全周に設けてもよいし、切欠き部７１に対応して設けてもよい。勿論、便座筐体３０の下地材３７には、一部に切欠き部７１を設けてもよいが、全周に設けてもよい。
これによって、便座筐体３０の内部被覆材３１の上面側に外部被覆カバー材４０を被せると、鍵状布片６２と環状布片６１が接合し、便座筐体３０の内部被覆材３１と外部被覆カバー材４０が一体化される。この状態から外部被覆カバー材４０を取り外すには、図示しない両側の切欠き部７１から突起部４３に両手の指を宛がい、外部被覆カバー材４０の両端から上方に力を加えると、鍵状布片６２と環状布片６１との結合が解かれ、便座筐体３０の下地材３７から外部被覆カバー材４０を引き離すことができる。
【００５１】
図１９は本発明の実施の形態１０の暖房便座装置で、便器上に載置された図４に示す切断線Ａ−Ａに相当する断面図である。
上記実施の形態１乃至実施の形態９では、ヒータ３４間に空気層を形成するものであったが、本発明を実施する場合には、必ずしもヒータ３４間に空気層を形成する必要はない。
図１９の実施の形態は、ヒータ３４を所定の熱伝導率のよい絶縁体の樹脂３５ａによって成形し、その両側に芯材３６及び内部被覆材３１を形成したものである。芯材３６と下地材３７との間には空気層３６ａを有するが、中実の発泡体で形成した芯材３６と特性的には違いはない。このように、本実施の形態は、断熱性に富む材料からなる芯材３６と芯材３６の下部を受ける下地材３７からなる基材３８と、熱伝導性の良い材料からなり、内側にヒータ３４を配設した所望の機械的強度を有する内部被覆材３１とからなる便座筐体３０とを具備するものである。
便座筐体３０の内部被覆材３１の上面側には、磁石手段８０のソリッド磁石板８２が２列設けられている。外部被覆カバー材４０の内側には、内部被覆材３１のソリッド磁石板８２に対抗する位置に２列のステンレス板８１が設けられている。なお、本発明を実施する場合には、一対のソリッド磁石板８２を対向させてもよい。即ち、磁石手段８０は、一方の磁石とその接合体を意味する。
【００５２】
したがって、便座筐体３０の内部被覆材３１の上面側に外部被覆カバー材４０を被せることにより、ソリッド磁石板８２とステンレス板８１が接合し、便座筐体３０の内部被覆材３１と外部被覆カバー材４０が一体化される。この状態では、使用者が着座した状態で体重移動または臀部をずらせても、外部被覆カバー材４０が内部被覆材３１からずれることが防止できる。
また、下地材３７の両外側には、手の指が入る窪み部７５が複数形成されていて、その窪み部７５に指を入れて上方に力を付与すれば、外部被覆カバー材４０の内側の凸部４０ｃは内部被覆材３１の凹部３１ｃから外れ、かつ、磁石手段８０のステンレス板８１とソリッド磁石板８２との吸引力に打ち勝って、外部被覆カバー材４０を取り外すことができる。逆に、外部被覆カバー材４０は、便座筐体３０の内部被覆材３１に被せるだけで、容易に装着することができる。
【００５３】
以上説明したように、上記実施の形態の暖房便座装置は、断熱性に富む材料からなる芯材３６と芯材３６の下部を受ける下地材３７からなる基材３８に直接または間接的に取り付けられたヒータ３４と、ヒータ３４の外側に形成した熱伝導性の良い材料からなり、表面の少なくとも一部または全体に着座行為を禁止する警告表示Ａ及び／または突起３２ａ，３２ｂからなる警告手段を設けてなる内部被覆材３１とからなる便座筐体３０と、便座筐体３０の外側を覆うように取り付けられ、便座筐体３０よりも軟質で断熱性に富む材料からなり、便座筐体３０に対し着脱可能に配設されてなる外部被覆カバー材４０を具備するものである。
便座筐体３０から外部被覆カバー材４０が取り外されているときには、便座筐体３０の内部被覆材３１表面の少なくとも一部に着座行為を禁止する警告表示Ａ及び／または突起３２ａ，３２ｂからなる警告手段を設けているから、外部被覆カバー材４０を取り外した状態で、人が便座筐体３０の内部被覆材３１に直接着座することを防止できる。特に、本発明では、内部被覆材３１が熱伝導性の良い材料からなるので、便座筐体３０の内部被覆材３１表面の温度が比較的高くなることもあり、外部被覆カバー材４０が取り外されているときには、常に、人が便座筐体３０の内部被覆材３１に直接着座することを防止できる。
【００５４】
更に、断熱性に富む材料からなる芯材３６と芯材３６の下部を受ける下地材３７からなる基材３８に取り付けられたヒータ３４は、そのヒータ３４から便器１０側に流れる熱エネルギー量を少なくし、また、外部被覆カバー材４０はヒータ３４の外側に形成した熱伝導性の良い材料からなる内部被覆材３１を覆うものであるから、人体と接触する側の熱の感触を柔らかくすることができる。そして、熱伝導性の良い材料からなる内部被覆材３１は、比較的機械的強度の高いもので形成できるから、着座しても直接ヒータ３４に機械的ストレスが入ることなく使用が可能である。加えて、外部被覆カバー材４０は、ヒータ３４の外側に形成した熱伝導性の良い材料からなる内部被覆材３１を取り外し自在に覆うものであるから、洗浄が容易になり、衛生的に管理できる。
ここで、内部被覆材３１表面の少なくとも一部または全体に着座行為を禁止する警告手段は、警告表示Ａ及び／または突起３２ａ，３２ｂに限定されるものではなく、着座行為を禁止するものであればよい。
【００５５】
特に、警告手段は、外部被覆カバー材４０を取り付ける便座筐体３０の表面の少なくとも一部に突起３２ａ，３２ｂを設けたものであり、外部被覆カバー材４０が取り外されているときにもかかわらず、利用者が無意識に着座しようとしたときでも、突起３２ａ，３２ｂの刺激によって、人が便座筐体３０の内部被覆材３１に直接着座することを防止できる。なお、本発明を実施する場合の、突起３２ａ，３２ｂの形状は実施例の形状に特定されるものではなく、利用者が無意識に着座するとき、人体に刺激を与える突起形状であればよい。
【００５６】
また、警告手段は、外部被覆カバー材４０を取り付ける便座筐体３０の表面の少なくとも一部に着座行為を禁止する表示を設けた警告表示Ａであるから、外部被覆カバー材４０が取り外されているとき、内部被覆材３１の表示を表すことにより、人が便座筐体３０の内部被覆材３１に直接着座することを防止することができる。なお、本発明を実施する場合の警告表示Ａは、着座行為を禁止する表示であればよい。
【００５７】
上記実施の形態の暖房便座装置は、断熱性に富む材料からなる芯材３６と芯材３６の下部を受ける下地材３７からなる基材３８と、基材３８に直接または間接的に取り付けられたヒータ３４と、ヒータ３４の外側に形成した熱伝導性の高い材料からなり、表面の少なくとも一部に着座行為を禁止する警告表示Ａ及び／または突起３２ａ，３２ｂからなる警告手段を設けてなる内部被覆材３１とからなる便座筐体３０と、便座筐体３０の外側を覆うように取り付けられ、便座筐体３０よりも軟質で断熱性に富む材料からなり、便座筐体３０に対し着脱可能に配設されてなる外部被覆カバー材４０と、外部被覆カバー材４０を便座筐体３０から取り外したことを検知する押圧スイッチ５０からなる離脱状態検知手段を有し、離脱状態検知手段が検知したときにはヒータ３４への通電を停止したり、減少したりしてヒータ３４への通電を制御する押圧スイッチ５０及びヒータ３４及びサーモスタットＳの直列回路からなるヒータ通電制御手段を具備するものである。
【００５８】
したがって、便座筐体３０から外部被覆カバー材４０が取り外されているときには、外部被覆カバー材４０を便座筐体３０から取り外したことを検知する押圧スイッチ５０からなる離脱状態検知手段が動作し、押圧スイッチ５０及びヒータ３４及びサーモスタットＳの直列回路からなるヒータ通電制御手段はヒータ３４への通電を停止または減少するものであるから、外部被覆カバー材４０を取り外した状態で、人が便座筐体３０の内部被覆材３１に直接着座したとき、ヒータ３４の通電を禁止または電流を減少させることにより、便座筐体３０の内部被覆材３１表面の温度が高くなるのを防止する。これにより、外部被覆カバー材４０が取り外されているときには、常に、人が便座筐体３０の内部被覆材３１に直接着座しても、熱さを感じるということがなくなる。
【００５９】
更に、断熱性に富む材料からなる芯材３６と芯材３６の下部を受ける下地材３７からなる基材３８に取り付けられたヒータ３４は、そのヒータ３４から便器１０側に流れる熱エネルギー量を少なくし、また、外部被覆カバー材４０はヒータ３４の外側に形成した熱伝導性の良い材料からなる内部被覆材３１を覆うものであるから、人体と接触する側の熱の感触を柔らかくすることができる。そして、熱伝導性の良い材料からなる内部被覆材３１は、比較的機械的強度の高いもので形成できるから、着座しても直接ヒータ３４に機械的ストレスが入ることなく使用が可能である。加えて、外部被覆カバー材４０は、ヒータ３４の外側に形成した熱伝導性の良い材料からなる内部被覆材３１を取り外し自在に覆うものであるから、洗浄が容易になり、衛生的に管理できる。
外部被覆カバー材４０を取り外したまま、使用者がうっかり着座しようとしても、便座筐体３０の表面に人体を刺激する突起があったり、温度危険を示す表示があるのでるため着座し続けることがなく、通常よりも高い温度の便座筐体３０に座ることがなく安全性が高い。
なお、本実施の形態のヒータ３４の外側に形成した熱伝導性の高い材料からなり、表面の少なくとも一部に着座行為を禁止する警告表示Ａ及び／または突起３２ａ，３２ｂからなる警告手段は、他の押圧スイッチ５０及びヒータ３４及びサーモスタットＳの直列回路からなるヒータ通電制御手段を有するものにおいては、省略することができる。即ち、警告手段またはヒータ通電制御手段の何れかを用いるだけでよい。
【００６０】
上記ヒータ通電制御手段は、更に、使用者が内部被覆材３１に着座したことを検知する近接スイッチからなる着座検知手段２１４を有し、使用者が内部被覆材３１に着座した時に、ヒータ３４への通電を遮断するものであるから、便座筐体３０から外部被覆カバー材４０が取り外されているときには、外部被覆カバー材４０を便座筐体３０から取り外したことを検知する押圧スイッチ５０からなる離脱状態検知手段が動作し、押圧スイッチ５０及びヒータ３４及びサーモスタットＳの直列回路からなるヒータ通電制御手段は、ヒータ３４への通電量を低下させるものであるから、外部被覆カバー材４０を取り外した状態で、人が便座筐体３０の内部被覆材３１に直接着座したとき、ヒータ３４の通電電流を減じたり、遮断したりすることで、便座筐体３０の内部被覆材３１表面の温度が高くなるのを防止する。これにより、外部被覆カバー材４０が取り外されているときには、常に、人が便座筐体３０の内部被覆材３１に直接着座しても、熱さを感じるということがなくなる。
【００６１】
上記図１２の外部被覆カバー材４０及び便座筐体３０の段差６５、上記図１３の指でつまんで引き上げることができる程度に突出した突出片４１、便座筐体３０の切欠き部７１、外部被覆カバー材４０の突起部４３等は、外部被覆カバー材４０及び便座筐体３０の平面方向の外周において、外部被覆カバー材４０の外周縁が便座筐体３０の外周縁より突出しているものであるから、外部被覆カバー材４０を外す場合には、その突出部分に手を掛けて簡単に操作できる。
【００６２】
上記ヒータ３４は、そのヒータ３４の貼り付け範囲が便座筐体３０の内部被覆材３１の内部の長さ方向の範囲内で、かつ、上面に配設するものであるから、ヒータ３４から便器１０側に流れる芯材３６の介在によって熱エネルギー量を少なくし、人体と接触する側の内部被覆材３１の上面の熱エネルギーを多く、かつ、熱の感触を柔らかくすることができる。
【００６３】
上記各実施の形態において説明した実施の形態の構成は、任意に複数組み合わせて使用することができる。
【図面の簡単な説明】
【００６４】
【図１】図１は本発明の実施の形態１の暖房便座装置の平面図である。
【図２】図２は本発明の実施の形態１の暖房便座装置の側面図である。
【図３】図３は本発明の実施の形態１の暖房便座装置の人体局部洗浄装置の側面図である。
【図４】図４は本発明の実施の形態１の暖房便座装置の人体局部洗浄装置の平面図である。
【図５】図５は本発明の実施の形態１の暖房便座装置の図４に示す切断線Ａ−ＡによるＡ−Ａ断面図である。
【図６】図６は本発明の実施の形態１の暖房便座装置の図４に示す切断線Ｂ−ＢによるＢ−Ｂ断面図である。
【図７】図７は本発明の実施の形態１の暖房便座装置の図４に示す切断線Ｃ−ＣによるＣ−Ｃ断面図である。
【図８】図８は本発明の実施の形態２の暖房便座装置の警告表示の一例を示す部分断面を示す要部正面図である。
【図９】図９は本発明の実施の形態３の暖房便座装置の図４に示す切断線Ｄ−ＤによるＤ−Ｄ断面図である。
【図１０】図１０は本発明の実施の形態３の暖房便座装置の図４に示す切断線Ｄ−ＤによるＤ−Ｄ断面による要部断面図である。
【図１１】図１１は本発明の実施の形態３の暖房便座装置のヒータ通電制御手段を示す回路図である。
【図１２】図１２は本発明の実施の形態４の暖房便座装置で、図４に示す切断線Ａ−Ａに相当する断面図である。
【図１３】図１３は本発明の実施の形態５の暖房便座装置で、図４に示す切断線Ａ−Ａに相当する断面図である。
【図１４】図１４は本発明の実施の形態６の暖房便座装置で、図４に示す切断線Ａ−Ａに相当する離脱状態の断面図である。
【図１５】図１５は本発明の実施の形態６の暖房便座装置で、図４に示す切断線Ａ−Ａに相当する断面図である。
【図１６】図１６は本発明の実施の形態７の暖房便座装置で、図４に示す切断線Ａ−Ａに相当する断面図である。
【図１７】図１７は本発明の実施の形態８の暖房便座装置で、図４に示す切断線Ａ−Ａに相当する断面図である。
【図１８】図１８は本発明の実施の形態９の暖房便座装置で、図４に示す切断線Ａ−Ａに相当する断面図である。
【図１９】図１９は本発明の実施の形態１０の暖房便座装置で、便器上に載置された図４に示す切断線Ａ−Ａに相当する断面図である。
【符号の説明】
【００６５】
２１４  着座検知手段
２４    便座
３０    便座筐体
３１    内部被覆材
３２ａ，３２ｂ  突起
３４    ヒータ
３６    芯材
３７    下地材
３８    基材
Ａ      警告表示
４０    外部被覆カバー材
４３    突起部
５０    押圧スイッチ
７１    切欠き部
７５    窪み部
【図１】
2006334161.tif 000003
【図２】
2006334161.tif 000004
【図３】
2006334161.tif 000005
【図４】
2006334161.tif 000006
【図５】
2006334161.tif 000007
【図６】
2006334161.tif 000008
【図７】
2006334161.tif 000009
【図８】
2006334161.tif 000010
【図９】
2006334161.tif 000011
【図１０】
2006334161.tif 000012
【図１１】
2006334161.tif 000013
【図１２】
2006334161.tif 000014
【図１３】
2006334161.tif 000015
【図１４】
2006334161.tif 000016
【図１５】
2006334161.tif 000017
【図１６】
2006334161.tif 000018
【図１７】
2006334161.tif 000019
【図１８】
2006334161.tif 000020
【図１９】
2006334161.tif 000021